(57)【要約】【課題】被検試料中のリポ蛋白コレステロールをより正確に定量できる方法、この方法に用いられる定量試薬及び定量キットを提供する。【解決手段】本発明は、リポ蛋白を含む被検試料中のリポ蛋白コレステロールを、所望により定量試薬を用いて定量するリポ蛋白コレステロールの定量方法であって、前記被検試料中又は前記定量試薬中にリン脂質を添加することを含む定量方法を提供する。また、本発明は、前記本発明の方法に用いられるリポ蛋白中のコレステロールの定量試薬であって、リン脂質を含有する定量試薬を提供する。更に、本発明は、前記本発明の方法に用いられるリポ蛋白コレステロールの定量キットであって、リン脂質を含む定量キットを提供する。【選択図】図１−２
2019174257.tif 000002
【特許請求の範囲】
【請求項１】
リポ蛋白を含む被検試料中のリポ蛋白コレステロールを、所望により定量試薬を用いて定量するリポ蛋白コレステロールの定量方法であって、前記被検試料中又は前記定量試薬中にリン脂質を添加することを含む定量方法。
【請求項２】
前記リン脂質がホスファチジルコリン（ＰＣ）又はリゾホスファチジルコリン（ＬＰＣ）である請求項１記載の方法。
【請求項３】
前記リン脂質がリン脂質様界面活性剤である請求項１記載の方法。
【請求項４】
前記リン脂質が、定量されるコレステロールを含むリポ蛋白とは異なるリポ蛋白質である請求項１記載の方法。
【請求項５】
前記リン脂質が高密度リポ蛋白質（ＨＤＬ）である請求項４記載の方法。
【請求項６】
前記リポ蛋白がトリグリセリドリッチリポ蛋白（ＴＲＬ）である請求項１〜５のいずれか１項に記載の方法。
【請求項７】
前記リポ蛋白がsmall, dense ＬＤＬである請求項１〜５のいずれか１項に記載の方法。
【請求項８】
請求項１〜７のいずれか１項に記載の方法に用いられるリポ蛋白中のコレステロールの定量試薬であって、リン脂質を含有する定量試薬。
【請求項９】
請求項１〜７のいずれか１項に記載の方法に用いられるリポ蛋白コレステロールの定量キットであって、リン脂質を含む定量キット。
【発明の詳細な説明】
【技術分野】
【０００１】
本発明は、リポ蛋白中のコレステロールの定量方法、定量試薬及び定量キットに関する。
【背景技術】
【０００２】
血液中に含まれるリポ蛋白は、超遠心分離による密度の違いから、カイロミクロン、超低密度リポ蛋白（以下、VLDLと呼ぶことがある）、中間密度リポ蛋白（以下、IDLと呼ぶことがある）、低密度リポ蛋白（以下、LDLと呼ぶことがある）、高密度リポ蛋白（以下、HDLと呼ぶことがある）に分けられる。近年はこれらのリポ蛋白は比重や大きさによってさらに細分化されており、例えば、LDLの中で小型で高密度のものとして、小粒子低密度リポ蛋白（以下、small, dense LDL又はsdLDLと呼ぶことがある）などがある。これらのリポ蛋白は、トリグリセリドやコレステロールなどの脂質や蛋白等の含有量が違っており、それぞれ生体内で異なった作用を示すことが知られている。
【０００３】
現在までに知られているリポ蛋白中のコレステロールの測定法として、超遠心法、NMR法などが存在する。超遠心は遠心によりリポ蛋白の密度の差を利用して画分する方法であり、作業に熟練が必要なこと、日数がかかること、また費用も高額となる欠点がある。NMR法は磁気共鳴によりリポ蛋白の粒子数を計測する方法であるが、特殊な機械が必要であり、一般的ではない。
【０００４】
近年、これらの煩雑な操作が不要で、自動分析装置において使用可能なダイレクト法が急速に普及してきた。HDLを測定する方法としては、例えば、特許文献１には、凝集剤として硫酸化シクロデキストリンを用いて、ＨＤＬ以外のリポ蛋白を十分に反応させた後、ポリエチレングリコールで修飾した酵素を作用させて、ＨＤＬ中のコレステロールを特異的に測定する方法が開示されている。特許文献２には、ＨＤＬ以外のリポ蛋白に対して反応阻害性の界面活性剤と、ＨＤＬを特異的に溶解する界面活性剤を使用する方法が開示されている。特許文献３には、第一工程でＨＤＬ以外のリポ蛋白をカタラーゼで消去し、第二工程でＨＤＬに特異的に作用する界面活性剤を用いてＨＤＬを測定する方法が開示されている。更に特許文献４には、初めにＨＤＬ以外のリポ蛋白に対する抗体を作用させ、次いでＨＤＬの溶解を行い、コレステロールを検出する方法が開示されている。small, dense LDLを測定する方法としては、例えば、特許文献５には、第一工程でsmall, dense LDL以外のリポ蛋白のコレステロールをsmall, dense LDL以外に作用する界面活性剤を用いて消去し、次いで残存したsmall, dense LDL中のコレステロールを定量する方法が開示されている。特許文献６には、第一工程でスフィンゴミエリナーゼを用いてsmall, dense LDL以外のLDLのリポ蛋白のコレステロールを消去し、次いで残存したsmall, dense LDL中のコレステロールを定量する方法が開示されている。また、カイロミクロン（カイロミクロンレムナントを含む）、VLDL（VLDLレムナントを含む）及びIDLを合わせた密度1.019g/cm3未満のトリグリセリドリッチリポ蛋白（TRL）の測定方法としては、特許文献７には、TRL以外のリポ蛋白のコレステロールをTRL以外に作用する界面活性剤を用いて消去し、次いで残存したTRL中のコレステロールを定量する方法が開示されている。
【先行技術文献】
【特許文献】
【０００５】
【特許文献１】特開平８−１３１１９７号公報
【特許文献２】特開平１１−５６３９５号公報
【特許文献３】ＷＯ９８／２６０９０号公報
【特許文献４】特開平９−９６６３７号公報
【特許文献５】特開２０１３−１４８５８９号公報
【特許文献６】ＷＯ０９／０４８１４３号公報
【特許文献７】特開２０１７−２０９０３５号公報
【発明の概要】
【発明が解決しようとする課題】
【０００６】
本発明の目的は、被検試料中のリポ蛋白コレステロールをより正確に定量できる方法、この方法に用いられる定量試薬及び定量キットを提供することである。
【課題を解決するための手段】
【０００７】
本願発明者らは、鋭意研究の結果、被検試料中又は定量試薬中にリン脂質を添加することで、測定値の直線性（被検試料の希釈レベルとコレステロールの反応吸光度との相関の直線性）が向上することを見出した。この知見を利用することにより、より正確にリポ蛋白中のコレステロールを測定できることに想到し、本発明を完成した。
【０００８】
すなわち、本発明は以下のとおりである。
[１］リポ蛋白を含む被検試料中のリポ蛋白コレステロールを、所望により定量試薬を用いて定量するリポ蛋白コレステロールの定量方法であって、前記被検試料中又は前記定量試薬中にリン脂質を添加することを含む定量方法。
[２］前記リン脂質がホスファチジルコリン（ＰＣ）又はリゾホスファチジルコリン（ＬＰＣ）である［１］に記載の方法。
[３］前記リン脂質がリン脂質様界面活性剤である[１］に記載の方法。
[４］前記リン脂質が、定量されるコレステロールを含むリポ蛋白とは異なるリポ蛋白質である［１］に記載の方法。
[５］前記リン脂質が高密度リポ蛋白質（ＨＤＬ）である［４］に記載の方法。
[６］前記リポ蛋白がトリグリセリドリッチリポ蛋白（ＴＲＬ）である［１］〜［５］のいずれかに記載の方法。
[７］前記リポ蛋白がsmall, dense ＬＤＬである［１］〜［５］のいずれかに記載の方法。
[８］［１］〜［７］のいずれかに記載の方法に用いられるリポ蛋白中のコレステロールの定量試薬であって、リン脂質を含有する定量試薬。
[９］［１］〜［７］のいずれかに記載の方法に用いられるリポ蛋白コレステロールの定量キットであって、リン脂質を含む定量キット。
【発明の効果】
【０００９】
本発明により、被検試料中のリポ蛋白コレステロールをより正確に定量することができる新規な方法、この方法に用いられる定量試薬及び定量キットが提供された。
【図面の簡単な説明】
【００１０】
【図１−１】実施例１において、希釈系列１（ヒト血清を生理食塩水で希釈）の希釈レベルに対し、TRL-Cの反応吸光度をプロットした図である。
【図１−２】実施例１において、希釈系列２（ヒト血清をHDLを含む希釈液Ａで希釈）の希釈レベルに対し、TRL-Cの反応吸光度をプロットした図である。
【図１−３】実施例１において、希釈系列３（ヒト血清をHDLを含む希釈液Ｂで希釈）の希釈レベルに対し、TRL-Cの反応吸光度をプロットした図である。
【図２−１】実施例２において、希釈系列４（ヒト血清を生理食塩水で希釈）の希釈レベルに対し、sdLDL-Cの反応吸光度をプロットした図である。
【図２−２】実施例２において、希釈系列５（ヒト血清をHDLを含む希釈液Ｂで希釈）の希釈レベルに対し、sdLDL-Cの反応吸光度をプロットした図である。
【図３−１】実施例１のTRL-C試薬１−１（HDL-C: 0mg/dL）を用いた場合に、希釈系列１（ヒト血清を生理食塩水で希釈）の希釈レベルに対し、TRL-Cの反応吸光度をプロットした図である。
【図３−２】実施例３のTRL-C試薬１−２（HDL-C: 2mg/dL）を用いた場合に、希釈系列１の希釈レベルに対し、TRL-Cの反応吸光度をプロットした図である。
【図３−３】実施例４のTRL-C試薬１−３（HDL-C: 3mg/dL）を用いた場合に、希釈系列１の希釈レベルに対し、TRL-Cの反応吸光度をプロットした図である。
【図４−１】実施例１のTRL-C試薬１−１（リン脂質: 0mg/dL）を用いた場合に、希釈系列１（ヒト血清を生理食塩水で希釈）の希釈レベルに対し、TRL-Cの反応吸光度をプロットした図である。
【図４−２】実施例５のTRL-C試薬１−４（リン脂質PC: 400mg/dL）を用いた場合に、希釈系列１の希釈レベルに対し、TRL-Cの反応吸光度をプロットした図である。
【図４−３】実施例６のTRL-C試薬１−５（リン脂質PC: 800mg/dL）を用いた場合に、希釈系列１の希釈レベルに対し、TRL-Cの反応吸光度をプロットした図である。
【図４−４】実施例７のTRL-C試薬１−６（リン脂質PC: 1600mg/dL）を用いた場合に、希釈系列１の希釈レベルに対し、TRL-Cの反応吸光度をプロットした図である。
【図４−５】実施例８のTRL-C試薬１−７（リン脂質LPC: 400mg/dL）を用いた場合に、希釈系列１の希釈レベルに対し、TRL-Cの反応吸光度をプロットした図である。
【図４−６】実施例９のTRL-C試薬１−８（リン脂質LPC: 800mg/dL）を用いた場合に、希釈系列１の希釈レベルに対し、TRL-Cの反応吸光度をプロットした図である。
【図４−７】実施例１０のTRL-C試薬１−９（リン脂質LPC: 1600mg/dL）を用いた場合に、希釈系列１の希釈レベルに対し、TRL-Cの反応吸光度をプロットした図である。
【図５−１】実施例１のTRL-C試薬１−１（LIPIDURE 非添加）を用いた場合に、希釈系列１（ヒト血清を生理食塩水で希釈）の希釈レベルに対し、TRL-Cの反応吸光度をプロットした図である。
【図５−２】実施例１１のTRL-C試薬１−１０（LIPIDURE BL206）を用いた場合に、希釈系列１（ヒト血清を生理食塩水で希釈）の希釈レベルに対し、TRL-Cの反応吸光度をプロットした図である。
【図５−３】実施例１２のTRL-C試薬１−１１（LIPIDURE BL1002）を用いた場合に、希釈系列１の希釈レベルに対し、TRL-Cの反応吸光度をプロットした図である。
【図５−４】実施例１３のTRL-C試薬１−１２（LIPIDURE SF08）を用いた場合に、希釈系列１の希釈レベルに対し、TRL-Cの反応吸光度をプロットした図である。
【図５−５】実施例１４のTRL-C試薬１−１３（LIPIDURE SF16）を用いた場合に、希釈系列１の希釈レベルに対し、TRL-Cの反応吸光度をプロットした図である。
【発明を実施するための形態】
【００１１】
本発明は、被検試料中のリポ蛋白に含まれるコレステロールを、所望により定量試薬を用いて定量するにあたり、被検試料中又は定量試薬中にリン脂質を添加することを特徴とする。
【００１２】
リポ蛋白中に含まれるコレステロールとしては、エステル型コレステロール（コレステ
ロールエステル）及び遊離型コレステロールがある。本発明において単に「コレステロー
ル」という場合にはこれらの両者を包含する。
【００１３】
本発明の方法で定量しようとするリポ蛋白中のコレステロールとは、トリアシルグリセロール（トリグリセリド、中性脂肪）および、細胞の生命維持に不可欠なコレステロールを多く含む球状粒子に含まれるコレステロールである。
【００１４】
コレステロールを含むリポ蛋白は、電気泳動法又は超遠心にて分類され、カイロミクロン、超低密度リポタンパク質（VLDL）、中間密度リポタンパク質（IDL）、低密度リポタンパク質（LDL）、small, dense LDL、高密度リポタンパク質（HDL）等が挙げられる。また、リポ蛋白としては、カイロミクロン（カイロミクロンレムナントを含む）、VLDL（VLDLレムナントを含む）及びIDLを合わせた密度1.019g/cm3未満のトリグリセリドリッチリポ蛋白（TRL）を挙げることもできる。
【００１５】
本発明の方法に供される被検試料（検体）としては、リポ蛋白を含み、リポ蛋白中のコレステロールを定量しようとするものであれば特に限定されないが、通常、血液（全血、血清及び血漿を包含する）等の体液やその希釈物である。
【００１６】
本発明のリポ蛋白コレステロールの定量方法は、この分野において周知のいずれの方法をも採用することができる。例えば、定量試薬を用い、コレステロールにコレステロールオキシダーゼおよびコレステロールエステラーゼを作用させ、生成した過酸化水素をペルオキシダーゼと水素供与体および水素受容体によりキノン色素に変え、該色素を吸光度測定して定量する方法が挙げられる。これらは広く用いられている周知の酵素的な定量方法であり、WO98/47005やWO98/26090にも記載されている。なお、本発明においては、被検試料中にリン脂質を添加することができれば、コレステロールをいかなる方法でも測定することができる。
【００１７】
本発明において、所望により使用するコレステロールの定量試薬としては、後述するリン脂質の他に、例えば、コレステロールオキシダーゼ、コレステロールエステラーゼ、ペルオキシダーゼ、水素供与体および水素受容体を含有する試薬を用いることができる。
【００１８】
本発明の方法で供されるリン脂質は、部分構造としてリン酸エステルを持つ脂質であり、生体中で主に細胞膜の主要構成成分として存在している。本発明におけるリン脂質としては、グリセロールを骨格とするグリセロリン脂質やスフィンゴシンを骨格とするスフィンゴリン脂質が挙げられる。グリセロリン脂質としては、ホスファチジルコリン（ＰＣ）、リゾホスファチジルコリン（ＬＰＣ）、ホスファチジルエタノールアミン、ホスファチジルイノシトール、ホスファチジルセリン、及びホスファチジルグリセロールなどが挙げられる。スフィンゴリン脂質としては、スフィンゴミエリン及びスフィンゴエタノールアミンなどが挙げられる。
【００１９】
また、本発明におけるリン脂質には、リン脂質様界面活性剤、及びリン脂質を部分構造として含む物質も包含される。リン脂質様界面活性剤とは、部分構造としてリン酸エステルを持つ界面活性剤であり、リン脂質様界面活性剤としては、ホスホリルコリン基（ＰＣ基）を有する構造のものが好ましく、具体的には、LIPIDURE BL206（日油社）、LIPIDURE BL1002（日油社）、LIPIDURE SF08（日油社）、LIPIDURE SF16（日油社）などが挙げられる。リン脂質を部分構造として含む物質としては、リポ蛋白、リポソーム、細胞膜などの生体膜などが挙げられ、リポ蛋白としては、例えば、カイロミクロン、超低密度リポタンパク質（VLDL）、中間密度リポタンパク質（IDL）、低密度リポタンパク質（LDL）、small, dense LDL、高密度リポタンパク質（HDL）等が挙げられる。
【００２０】
本発明におけるリン脂質としてリポ蛋白を使用する場合には、本発明の方法で定量しようとするコレステロールを含むリポ蛋白とは異なるリポ蛋白を用いる。例えば、トリグリセリドリッチリポ蛋白（TRL）中のコレステロールを定量する場合には、TRLとは異なるリポ蛋白、例えば、高密度リポタンパク質（HDL）を用いることができる。
【００２１】
本発明におけるリン脂質は、単独で用いてもよいし、複数種類を組み合わせて用いてもよい。
【００２２】
本発明においては、反応液中に一定量以上のリン脂質が存在していれば良く、被検試料中又は定量試薬中にリン脂質を添加する。リン脂質は被検試料（検体）を希釈する際等に使用する希釈液に添加することにより、被検試料中に添加しても良く、また、リン脂質を定量試薬中に予め添加しておき、測定時に添加されるように構成しても良い。
【００２３】
リン脂質の添加量は、リン脂質を被検試料中に添加する場合には、被検試料を希釈するための希釈液中のリン脂質の濃度が、通常1〜1000 mg/dL、好ましくは10〜500 mg/dL、更に好ましくは50〜300 mg/dLの範囲となるように添加するのがよい。
【００２４】
リン脂質を定量試薬中に添加する場合のリン脂質の添加量は、リン脂質の種類により異なる。例えば、リン脂質がグリセロリン脂質又はスフィンゴリン脂質に場合には、定量試薬中のリン脂質が、通常50〜5000 mg/dL、好ましくは200〜3000 mg/dL、更に好ましくは500〜2000 mg/dLの範囲となるように添加するのがよい。また、リン脂質がリポ蛋白質の場合には、定量試薬中のリポ蛋白コレステロールが、通常0.05〜100 mg/dL、好ましくは0.1〜50 mg/dL、更に好ましくは0.5〜10 mg/dLの範囲となるように添加するのがよい。
【００２５】
本発明の方法は、リポ蛋白を含む被検試料に上記定量試薬をそのまま反応させてコレステロールを定量することも可能であるが、被検試料中の定量対象となるリポ蛋白以外のリポ蛋白中のコレステロールを選択的に消去する第１工程（工程(1)）と、反応系内に残存する定量対象となるリポ蛋白中のコレステロールを定量する第２工程（工程(2)）により本発明の方法を行うと、定量対象となるリポ蛋白中のコレステロールをより正確に定量することができる。
【００２６】
本発明中においてリポ蛋白に対して「反応する」という言葉を用いる場合は、界面活性剤や酵素によってリポ蛋白の構造が変化し、内部のコレステロールに対して酵素が作用しやすくなることを意味する。
【００２７】
本発明における工程(1)では、定量対象となるリポ蛋白以外のリポ蛋白中のコレステロールを選択的に消去する。ここで「消去」とはコレステロールを分解し、かつ、その分解物が次の工程(2)で検出されないようにすることを意味する。定量対象となるリポ蛋白以外のリポ蛋白に含まれるコレステロールを選択的に消去する方法としては、例えば被検試料に、コレステロールオキシダーゼおよびコレステロールエステラーゼを作用させ、生じた過酸化水素を除去する方法が挙げられる。過酸化水素を除去する方法としては、カタラーゼを作用させて水と酸素に分解する方法、又はペルオキシダーゼの作用により例えば過酸化水素と反応して無色キノンを生じる水素供与体化合物を無色キノンに転化する方法等を挙げることができるが、これらに限定されるものではない。
【００２８】
なお、第１工程において特定のリポ蛋白中のコレステロールを選択的に消去する方法は、LDLコレステロールの定量方法（例えばWO98/47005等）やHDLコレステロールの定量方法（例えばWO98/26090等）等に広く採用され、周知となっているものである。本発明の工程(1)も、これらの周知の方法により実施することが可能である。
【００２９】
本発明におけるリン脂質は、上記工程(1)において添加すると、測定値の直線性（被検試料の希釈レベルとコレステロールの反応吸光度との相関の直線性）が更に向上するという点で好ましい。
【００３０】
続く工程(2)では、前述した周知の方法により、前記工程(1)で消去されずに残存する定量対象となるリポ蛋白中のコレステロールを酵素的に定量する。前記工程(1)でコレステロールオキシダーゼおよびコレステロールエステラーゼを用いる場合には、工程(2)では、工程(1)で用いたコレステロールオキシダーゼおよびコレステロールエステラーゼをそのまま用いることができ、新たに添加する必要はない。
【００３１】
なお、工程(1)において生じた過酸化水素をカタラーゼで分解し、工程(2)でこのカタラーゼを阻害する必要がある場合は、工程(2)において例えばアジ化ナトリウムのようなカタラーゼ阻害剤を用いてカタラーゼを阻害する。
【００３２】
本発明の工程(1)および工程(2)においては、少なくとも１種の界面活性剤を用いることができる。好適な界面活性剤を用いれば、それぞれの工程における酵素反応を促進することができる。
【００３３】
本発明で使用することができるコレステロールオキシダーゼとしては、コレステロールを酸化して過酸化水素を生成する能力を有する酵素であれば特に限定されず、例えば動物又は微生物由来のコレステロールオキシダーゼがあげられる。これらは、遺伝子操作により作られたものでもよく、化学修飾の有無も問わない。また、本発明で使用することができるコレステロールエステラーゼとしては、エステル型コレステロールに作用するものであれば、特に制限されるものではない。
【００３４】
本発明で使用する、コレステロールエステラーゼ及びコレステロールオキシダーゼの各酵素の使用量は、特に制限されるものではなく、適宜設定できるが、通常、0.001U〜2000U/mLで、好ましくは0.1〜1000U/mLで使用される。
【００３５】
本発明で使用する水素供与体としてはアニリン誘導体が好ましく、アニリン誘導体としてはN−エチル−N−（2−ヒドロキシ−3−スルホプロピル）−3−メチルアニリン（TOOS）、N−エチル−N−（2−ヒドロキシ−3−スルホプロピル）−3，5−ジメチルアニリン（MAOS）、N−エチル−N−（3−スルホプロピル）−3−メチルアニリン（TOPS）、N−（2−ヒドロキシ−3−スルホプロピル）−3，5−ジメトキシアニリン（HDAOS）、N−（3−スルホプロピル）アニリン（HALPS）、N−（3−スルホプロピル）−3−メトキシ−5−アニリン（HMMPS）等があげられる。
【００３６】
水素受容体としては4−アミノアンチピリンやメチルベンゾチアゾロンヒドラゾン等を用いることができる。
【００３７】
反応液には通常の生化学反応に用いられる各種の緩衝液を使用することができ、緩衝液のｐＨは５〜８の間であるのが好ましい。溶液としては、グッド、トリス、リン酸、グリシンの緩衝溶液が好ましく、グッド緩衝液であるビス（２−ヒドロキシエチル）イミノトリス（ヒドロキシエチル）メタン（Ｂｉｓ−Ｔｒｉｓ）、ピペラジン−１、４−ビス（２−エタンスルフォン酸）（ＰＩＰＥＳ）、ピペラジン−１、４−ビス（２−エタンスルフォン酸）、１．５ナトリウム塩、一水和物（ＰＩＰＥＳ１．５Ｎａ）、２−ヒドロキシ−３−モルホリノプロパンスルホン酸（ＭＯＰＳＯ）、Ｎ、Ｎ−ビス（２−ヒドロキシエチル）−２−アミノエタンスルフォン酸（ＢＥＳ）、２−［４−（２−ヒドロキシエチル）−１−ピペラジニル］エタンスルフォン酸（ＨＥＰＥＳ）およびピペラジン−１、４−ビス（２−ヒドロキシ−３−プロパンスルフォン酸）（ＰＯＰＳＯ）が好ましい。
【００３８】
本発明における各工程は、pH5〜pH10で行うことが好ましく、pH6〜pH8で行うことがさらに好ましい。
【００３９】
反応温度は各工程とも20℃〜45℃で行うことが好ましく、25℃〜40℃で行うことがさらに好ましい。反応時間は各工程とも1〜10分間で行うことが好ましく、3〜7分で行うことがさらに好ましい。
【００４０】
本発明の定量方法を実施するに当たり、用いる試薬を複数の試薬組成物に分けてもよい。本発明においては、試薬としては例えば定量対象となるリポ蛋白以外のリポ蛋白中のコレステロールを消去する工程（すなわち工程(1))を行うための試薬組成物（第一試薬）と、定量対象となるリポ蛋白中のコレステロールを測定する工程（すなわち工程(2)）を行うための試薬組成物（第二試薬）の２種類の試薬組成物を調製し、これら２種類の試薬組成物を組み合わせたものをリポ蛋白コレステロールの定量キットとすることができる。
【００４１】
工程(1)を行うための試薬組成物には、上述したような定量対象となるリポ蛋白以外のリポ蛋白中のコレステロールを消去するのに適した界面活性剤が含まれる。該試薬組成物にはさらに、コレステロールオキシダーゼ、コレステロールエステラーゼ、アニリン誘導体等の水素供与体、過酸化水素を消去するカタラーゼ等を含ませればよい。
【００４２】
工程(2)を行うための試薬組成物には、少なくとも、上記したようなすべてのリポ蛋白に対して反応する界面活性剤が含まれる。該試薬組成物にはさらに、4-アミノアンチピリン等の水素受容体、ペルオキシダーゼ等を含ませることができる。
【００４３】
本発明におけるリン脂質は、工程(1)を行うための試薬組成物（第一試薬）中に含有させると、測定値の直線性（被検試料の希釈レベルとコレステロールの反応吸光度との相関の直線性）が更に向上するという点で好ましい。
【００４４】
試薬組成物中のリン脂質の含有量はリン脂質の種類により異なるが、リン脂質がグリセロリン脂質又はスフィンゴリン脂質に場合には、試薬組成物中のリン脂質の濃度は、通常50〜5000 mg/dL、好ましくは200〜3000 mg/dL、更に好ましくは500〜2000 mg/dLの範囲である。また、リン脂質がリポ蛋白質の場合には、試薬組成物中のリポ蛋白コレステロールの濃度は、通常0.05〜100 mg/dL、好ましくは0.1〜50 mg/dL、更に好ましくは0.5〜10 mg/dLの範囲である。
【００４５】
工程(1)を行うための試薬組成物及び工程(2)を行うための試薬組成物には、必要に応じて、１価の陽イオン（例えば一価の金属イオン）、２価の陽イオン（例えば二価の金属イオン）もしくはそれらの塩、ポリアニオン（例えばヘパリン、デキストラン硫酸塩、リンタングステン酸塩）、血清アルブミンを添加してもよい。また、各試薬組成物のpHは、中性付近、例えばpH5〜pH9、好ましくはpH6〜8であり、緩衝液を添加してpHを調整すればよい。
【００４６】
本発明の方法によりを定量対象となるリポ蛋白中のコレステロールを定量するには、被検試料に工程(1)を行うための試薬組成物を添加し反応させ、次いで工程(2)を行うための試薬組成物を添加し反応させ、吸光度を測定することにより行えばよい。
【００４７】
以下、本発明を実施例に基づき具体的に説明するが、本発明は下記実施例に限定されるものではない。
【実施例】
【００４８】
実施例１
市販のHDL濃縮液（BRT社）を、HDL-C濃度が約50mg/dLになるように生理食塩水で希釈した希釈液Ａ、およびHDL-C濃度が約100mg/dLになるように生理食塩水で希釈した希釈液Ｂを調製した。
【００４９】
ヒト血清１を、生理食塩水を用いて下記表１の通りに5段階希釈した希釈系列１、希釈液Ａを用いて下記表２の通りに5段階希釈した希釈系列２、希釈液Ｂを用いて下記表３の通りに5段階希釈した希釈系列３を調製した。
【００５０】
【表１】
2019174257.tif 000003
【００５１】
【表２】
2019174257.tif 000004
【００５２】
【表３】
2019174257.tif 000005
【００５３】
以下の第一試薬（TRL-C試薬１−１）、第二試薬（TRL-C試薬２）からなるTRL-C測定用試薬を調製した。
【００５４】
第一試薬（TRL-C試薬１−１）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
【００５５】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００５６】
TRL-C測定用試薬を用いて、希釈系列１、希釈系列２、希釈系列３を検体としたときの反応吸光度を、日立７１８０型自動分析装置により、以下の方法で測定した。
検体3μLに第一試薬を150μL加え、37℃で5分間反応させ、次いで、第二試薬を50μL加えて5分間反応させた後に、反応吸光度を主波長600nm、副波長700nmで測定した。
【００５７】
希釈系列１、希釈系列２、希釈系列３の各希釈レベルをx軸に、TRL-Cの反応吸光度をy軸にしたときの結果を図１−１〜図１−３に示す。
図１に示したように、生理食塩水を用いて調製された希釈系列１に比べ、HDLを含む希釈液Ａ又は希釈液Ｂを用いて調製された希釈系列２および希釈系列３の方が良好な希釈直線性を示した。
【００５８】
実施例２
ヒト血清２を、生理食塩水を用いて下記表４の通りに5段階希釈した希釈系列４、実施例１に記載の希釈液Ｂを用いて下記表５の通りに5段階希釈した希釈系列５を調製した。
【００５９】
【表４】
2019174257.tif 000006
【００６０】
【表５】
2019174257.tif 000007
【００６１】
デンカ生研社製のsdLDL-C測定用試薬を用いて、希釈系列４、希釈系列５を検体としたときの反応吸光度を、日立７１８０型自動分析装置により、以下の方法で測定した。
検体3μLに第一試薬を150μL加え、37℃で5分間反応させ、次いで、第二試薬を50μL加えて5分間反応させた後に、反応吸光度を主波長600nm、副波長700nmで測定した。
【００６２】
希釈系列４、希釈系列５の各希釈レベルをx軸に、sdLDL-Cの反応吸光度をy軸にしたときの結果を図２−１及び図２−２に示す。
図２に示したように、生理食塩水を用いて調製された希釈系列４に比べ、HDLを含む希釈液Ｂを用いて調製された希釈系列５の方が良好な希釈直線性を示した。
【００６３】
実施例３
以下の第一試薬（TRL-C試薬１−２）、第二試薬（TRL-C試薬２）からなるTRL-C測定用試薬を調製した。
【００６４】
第一試薬（TRL-C試薬１−２）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
HDL濃縮液                                                 2mg/dL（HDL-C）
【００６５】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００６６】
実施例４
以下の第一試薬（TRL-C試薬１−３）、第二試薬（TRL-C試薬２）からなるTRL-C測定用試薬を調製した。
【００６７】
第一試薬（TRL-C試薬１−３）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
HDL濃縮液                                                 3mg/dL（HDL-C）
【００６８】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００６９】
実施例１、実施例３〜４に記載のTRL-C測定用試薬を用いて、実施例１に記載の希釈系列１を検体としたときのTRL-Cの反応吸光度を、実施例１と同様の方法でそれぞれ測定した。希釈系列の希釈レベルをx軸に、TRL-Cの反応吸光度をy軸にしたときの結果を図３−１〜図３−３に示す。
図３−１〜図３−３に示したように、HDLを含まないTRL-C試薬を使用して測定した場合に比べ、HDLを含むTRL-C試薬を使用して測定した場合の方が良好な希釈直線性を示した。
【００７０】
実施例５
以下の第一試薬（TRL-C試薬１−４）、第二試薬（TRL-C試薬２）からなるTRL-C測定用試薬を調製した。
【００７１】
第一試薬（TRL-C試薬１−４）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質（ホスファチジルコリン（PC））                    400mg/dL
【００７２】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００７３】
実施例６
以下の第一試薬（TRL-C試薬１−５）、第二試薬（TRL-C試薬２）からなるTRL-C測定用試薬を調製した。
【００７４】
第一試薬（TRL-C試薬１−５）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質（ホスファチジルコリン（PC））                    800mg/dL
【００７５】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００７６】
実施例７
以下の第一試薬（TRL-C試薬１−６）、第二試薬（TRL-C試薬２）からなるTRL-C測定用試薬を調製した。
【００７７】
第一試薬（TRL-C試薬１−６）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質（ホスファチジルコリン（PC））                    1600mg/dL
【００７８】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００７９】
実施例８
以下の第一試薬（TRL-C試薬１−７）、第二試薬（TRL-C試薬２）からなるTRL-C測定用試薬を調製した。
【００８０】
第一試薬（TRL-C試薬１−７）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質（リゾホスファチジルコリン（LPC））               400mg/dL
【００８１】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００８２】
実施例９
以下の第一試薬（TRL-C試薬１−８）、第二試薬（TRL-C試薬２）からなるTRL-C測定用試薬を調製した。
【００８３】
第一試薬（TRL-C試薬１−８）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質（リゾホスファチジルコリン（LPC））               800mg/dL
【００８４】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００８５】
実施例１０
以下の第一試薬（TRL-C試薬１−９）、第二試薬（TRL-C試薬２）からなるTRL-C測定用試薬を調製した。
【００８６】
第一試薬（TRL-C試薬１−９）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質（リゾホスファチジルコリン（LPC））               1600mg/dL
【００８７】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００８８】
実施例１、実施例５〜１０に記載のTRL-C測定用試薬を用いて、実施例１に記載の希釈系列１を検体としたときのTRL-Cの反応吸光度を、実施例１と同様の方法でそれぞれ測定した。希釈系列の希釈レベルをx軸に、TRL-Cの反応吸光度をy軸にしたときの結果を図４−１〜図４−７に示す。
図４−１〜図４−７に示したように、リン脂質を含まないTRL-C試薬を使用して測定した場合に比べ、リン脂質を含むTRL-C試薬を使用して測定した場合の方が良好な希釈直線性を示した。
【００８９】
実施例１１
以下の第一試薬（TRL-C試薬１−１０）、第二試薬（TRL-C試薬２）からなるTRL-C測定用試薬を調製した。
【００９０】
第一試薬（TRL-C試薬１−１０）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質様界面活性剤（LIPIDURE BL206（日油社））          0.25%(w/v)
【００９１】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００９２】
実施例１２
以下の第一試薬（TRL-C試薬１−１１）、第二試薬（TRL-C試薬２）からなるTRL-C測定用試薬を調製した。
【００９３】
第一試薬（TRL-C試薬１−１１）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質様界面活性剤（LIPIDURE BL1002（日油社））          0.25%(w/v)
【００９４】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００９５】
実施例１３
以下の第一試薬（TRL-C試薬１−１２）、第二試薬（TRL-C試薬２）からなるTRL-C測定用試薬を調製した。
【００９６】
第一試薬（TRL-C試薬１−１２）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質様界面活性剤（LIPIDURE SF08（日油社））           0.25%(w/v)
【００９７】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【００９８】
実施例１４
以下の第一試薬（TRL-C試薬１−１３）、第二試薬（TRL-C試薬２）からなるTRL-C測定用試薬を調製した。
【００９９】
第一試薬（TRL-C試薬１−１３）
PIPES，pH6.8                                              50mmol/L
コレステロールエステラーゼ                                2U/mL
コレステロールオキシダーゼ                                2U/mL
カタラーゼ                                                1200U/mL
TOOS                                                      2.0mmol/L
ポリオキシエチレンジスチレン化フェニルエーテル[HLB:12.8]  0.25%(w/v)
リン脂質様界面活性剤（LIPIDURE SF16（日油社））           0.25%(w/v)
【０１００】
第二試薬（TRL-C試薬２）
PIPES，pH6.8                                              50mmol/L
４−アミノアンチピリン                                    4.0mmol/L
ペルオキシダーゼ                                          20単位/mL
アジ化ナトリウム                                          0.05%(w/v)
ポリオキシエチレンアルキルエーテル                        0.5%(w/v)
【０１０１】
実施例１、実施例１１〜１４に記載のTRL-C測定用試薬を用いて、実施例１に記載の希釈系列１を検体としたときのTRL-Cの反応吸光度を、実施例１と同様の方法でそれぞれ測定した。希釈系列の希釈レベルをx軸に、TRL-Cの反応吸光度をy軸にしたときの結果を図５−１〜図５−５に示す。
図５−１〜図５−５に示したように、リン脂質様界面活性剤を含まないTRL-C試薬を使用して測定した場合に比べ、リン脂質様界面活性剤を含むTRL-C試薬を使用して測定した場合の方が良好な希釈直線性を示した。
【図１−１】
2019174257.tif 000008
【図１−２】
2019174257.tif 000009
【図１−３】
2019174257.tif 000010
【図２−１】
2019174257.tif 000011
【図２−２】
2019174257.tif 000012
【図３−１】
2019174257.tif 000013
【図３−２】
2019174257.tif 000014
【図３−３】
2019174257.tif 000015
【図４−１】
2019174257.tif 000016
【図４−２】
2019174257.tif 000017
【図４−３】
2019174257.tif 000018
【図４−４】
2019174257.tif 000019
【図４−５】
2019174257.tif 000020
【図４−６】
2019174257.tif 000021
【図４−７】
2019174257.tif 000022
【図５−１】
2019174257.tif 000023
【図５−２】
2019174257.tif 000024
【図５−３】
2019174257.tif 000025
【図５−４】
2019174257.tif 000026
【図５−５】
2019174257.tif 000027